(57)【要約】【課題】音響性能低下やボイスコイルのリード線の断線を防止しながら、さらなる薄型化を実現できる電気音響変換器を提供する。【解決手段】磁気回路２５と、この磁気回路２５のヨーク２１に固定されたフレーム２９と、このフレーム２９に固定された振動板２６と、この振動板２６に固定されて一部が前記磁気回路２５の磁気ギャップ２４に配置されたボイスコイル２７とを備える電気音響変換器において、前記振動板２６の中央部を凹形状に形成すると共に、この振動板２６の中央凹部２６ａと対向する前記磁気回路２５のポールピース２３の表面も凹形状に形成し、、振動板２６の振幅を十分に確保しながら、振動板２６の高さを低く抑える。そしてヨーク２１とフレーム２９との結合部３０と振動板２６との隙間３１の狭小化を伴わない。【選択図】図１
2007104541.tif 000002
【特許請求の範囲】
【請求項１】
磁気回路と、この磁気回路のヨークに固定されたフレームと、このフレームに固定された振動板と、この振動板に固定されて一部が前記磁気回路の磁気ギャップに配置されたボイスコイルとを備える電気音響変換器において、前記振動板の中央部を凹形状に形成すると共に、この振動板の中央凹部と対向する前記磁気回路のポールピースの表面も凹形状に形成したことを特徴とする電気音響変換器。
【請求項２】
磁気回路と、この磁気回路のヨークに固定されたフレームと、このフレームに固定された振動板と、この振動板に固定されて一部が前記磁気回路の磁気ギャップに配置されたボイスコイルとを備える電気音響変換器において、前記ヨークと前記フレームの結合部に前記振動板との隙間を部分的に拡大するための切欠きを設けたことを特徴とする電気音響変換器。
【請求項３】
請求項１に記載の電気音響変換器と請求項２に記載の電気音響変換器とを組み合わせたことを特徴とする電気音響変換器。
【発明の詳細な説明】
【技術分野】
【０００１】
本発明は携帯電話機等に内蔵される小型のスピーカやレシーバ等電気音響変換器に関する。
【背景技術】
【０００２】
従来の電気音響変換器は図５に示すように磁性材料からなる有底筒状のヨーク１と、このヨーク１の内側底部に固定した柱状のマグネット２と、このマグネット２の上面に固定した磁性材料からなる板状のポールピース３とで、ポールピース３とヨーク１の周側壁端部との間に磁気ギャップ４を形成した磁気回路５を構成すると共に、上方に膨らんだセンタードーム部６ａの周縁に環状のエッジ部６ｂを一体に設けた樹脂や金属のフィルムからなる振動板６と、この振動板６のセンタードーム部６ａとエッジ部６ｂとの境目部分の裏面に上端を固定した筒状のボイスコイル７とで振動系を構成している。そして前記磁気回路５のヨーク１の外側には一対の接続端子８を固定した絶縁材料からなるフレーム９が固定され、このフレーム９の周縁部に前記振動板６の周縁部（エッジ部６ｂの外周縁部）を固定し、前記ボイスコイル７を前記磁気回路５の磁気ギャップ４内に上下動自在に挿嵌し、ボイスコイル７から引出した２本のリード線７ａを接続端子８に半田付けＳして構成していた。このように構成した電気音響変換器は外部回路から接続端子８を介してボイスコイル７に電気音響信号を入力することにより、磁気ギャップ４の磁界との電磁作用でボイスコイル７が上下に振動し、それに伴って振動板６が上下に振動して音を発生するものである。
【０００３】
この種電気音響変換器は全体の薄型化を図るべく、フレーム９をヨーク１の開口端より一段下げた位置から外側に固定している。つまり磁気回路５の上部をフレーム９から上方に突出し、磁気回路５の電気音響変換器底面側への突出量を抑えるようにしていた。これに伴いフレーム９の固定端にはヨーク１の開口端部外面に沿ってリブ９ａが立上げられている（例えば「特許文献１」「特許文献２」参照）。
【特許文献１】特開２００３−１５３３８２号公報
【特許文献２】特開２００４−３５６７１３号公報
【発明の開示】
【発明が解決しようとする課題】
【０００４】
上記のように従来の電気音響変換器は磁気回路５の電気音響変換器底面側への突出量を抑えることにより全体の薄型化を図ったが、この方法ではボイスコイル７の直ぐ外側のヨーク１とフレームとの結合部１０と振動板６（エッジ部６ｂの内周縁部）との隙間１１の狭小化を伴うため、さらなる電気音響変換器の薄型化は望めない。加えて前記隙間１１にはボイスコイル７のリード線７ａを通すため、狭小化に伴って前記結合部１０にリード線７ａが接触して断線し易くなることも、上記方法でのさらなる電気音響変換器の薄型化が望めない要因になっている。
【０００５】
本発明は上記の事情に鑑みさらなる薄型化を実現できる電気音響変換器を提供するものである。
【課題を解決するための手段】
【０００６】
本発明の請求項１に係る発明は磁気回路と、この磁気回路のヨークに固定されたフレームと、このフレームに固定された振動板と、この振動板に固定されて一部が前記磁気回路の磁気ギャップに配置されたボイスコイルとを備える電気音響変換器において、前記振動板の中央部を凹形状に形成すると共に、この振動板の中央凹部と対向する前記磁気回路のポールピースの表面も凹形状に形成したことを特徴とするものである。この構成により振動板の振幅を十分に確保しながら、振動板の高さを低く抑えることができるため、音響性能低下を招くことなく、さらなる電気音響変換器の薄型化を実現することができる。
【０００７】
本発明の請求項２に係る発明は磁気回路と、この磁気回路のヨークに固定されたフレームと、このフレームに固定された振動板と、この振動板に固定されて一部が前記磁気回路の磁気ギャップに配置されたボイスコイルとを備える電気音響変換器において、前記ヨークと前記フレームの結合部に前記振動板との隙間を部分的に拡大するための切欠きを設けたことを特徴とするものである。この構成によりボイスコイルのリード線を前記切欠きを通して半田付け部まで引出すことにより、前記結合部と前記振動板との隙間に少なくともボイスコイルのリード線が使用していた分の余裕ができるため、この隙間の狭小化を伴う従来の方法で、ボイスコイルのリード線の断線防止を図りながら、さらなる電気音響変換器の薄型化を実現することができる。
【０００８】
本発明の請求項３に係る発明は請求項１に記載の電気音響変換器と請求項２に記載の電気音響変換器とを組み合わせたことを特徴とするもので、請求項１に係る発明と請求項２に係る発明の両面から、音響性能低下を招くことなく、またボイスコイルのリード線の断線防止を図りながら、さらなる電気音響変換器の薄型化を実現することができる。
【発明の効果】
【０００９】
上記のように本発明は電気音響変換器のさらなる薄型化を実現することができると共に、それに伴う音響性能低下やボイスコイルのリード線の断線を防止することができる。
【発明を実施するための最良の形態】
【００１０】
以下本発明の実施の形態を図１〜図４を参照して説明する。図１は本発明の実施の形態に係る電気音響変換器の断面図、図２は同電気音響変換器の外観図、図３は同電気音響変換器のバッフル及び振動板を除去した状態の外観図（ただし振動板リングは残す）、図４は同電気音響変換器の接続端子基部の平面図である。
【００１１】
本実施の形態の電気音響変換器は磁性材料からなる有底円筒状のヨーク２１と、このヨーク２１の内側底部に固定した円柱状のマグネット２２と、このマグネット２２の上面に固定した磁性材料からなる円板状のポールピース２３とで、ポールピース２３とヨーク２１の周側壁端部との間に磁気ギャップ２４を形成した内磁型の磁気回路２５を構成すると共に、円形の振動板リング２６ａに周縁部を接着固定した樹脂や金属のフィルムからなる円形の振動板２６と、この振動板２６の裏面に上端を固定した円筒状のボイスコイル２７とで振動系を構成している。そして前記磁気回路２５のヨーク２１の外側には一対の接続端子２８を固定した絶縁材料からなるフレーム２９が固定され、このフレーム２９の周縁部に前記振動板２６の周縁部を振動板リング２６ａを介して接着固定し、前記ボイスコイル２７を前記磁気回路２５の磁気ギャップ２４内に上下動自在に挿嵌し、ボイスコイル２７から引出した２本のリード線２７ａを接続端子２８に半田付けＳ（スポット溶接でも可）して構成している。このように構成した電気音響変換器は外部回路から接続端子２８を介してボイスコイル２７に電気音響信号を入力することにより、磁気ギャップ２４の磁界との電磁作用でボイスコイル２７が上下に振動し、それに伴って振動板２６が上下に振動して音を発生するものである。
【００１２】
ここで前記フレーム２９は一端が磁気回路２５と同芯の半円形に丸められ、他端を角張らせた平面視略かまぼこ形の板状に形成されており、このフレーム２９の周縁部には外壁面がフレーム２９の外周縁に沿って立上り、かつ内壁面が振動板２６の外周縁に沿って立上がり、かつフレーム２９の角張った端部側の一部が破られた段付きの平面視略Ｃ形の側壁２９ａが立設されており、この側壁２９ａの内壁段差面２９ａ'に前記振動板２６の周縁部が振動板リング２６ａを介して接着固定されている。つまり振動板２６は前記フレーム２９の表面よりやや持ち上げられて固定されている。またフレーム２９の側壁２９ａの内側には振動板２６を保護するための金属製のバッフル３２が嵌着されており、このバッフル３２は縁部３２ａを有し、この縁部３２ａの端部を振動板２６の周縁部の表面に固定し、振動板２６の周縁部を振動板リング２６ａと共にフレーム２９の側壁２９ａの内壁段差面２９ａ'とバッフル３２の縁部３２ａの間に挟込んでいる。バッフル３２の天板部表面はフレーム２９の側壁２９ａの端面と略面一になっている。このバッフル３２の縁部３２ａもフレーム２９の側壁２９ａと同様にフレーム２９の角張った端部側の一部が破られている。この構成により本実施の形態の電気音響変換器はフレーム２９の角張った端部側面に放音孔３３が開設され、この放音孔３３から振動系の振動方向と直交する側方に向かって音を放射するように構成されている。放音孔３３は電気音響変換器の角角張った端部側の表面からその放音孔３３を開設した側面に貼付ける補償布（制動布）３４により塞がれている。なお天板部に小さい放音孔を多数開設した周知のバッフルを使用し、電気音響変換器の表面側から振動系の振動方向に沿って音を放射することもできる。
【００１３】
また前記フレーム２９の周縁部には磁気回路２５と同芯円上に略等間隔に配設する複数の位置決め孔２９ｂが開設され、この位置決め孔２９ｂは電気音響変換器を携帯電話機等の筺体に取付ける時の位置決めに用いられる。前記磁気回路２５のヨーク２１の底面周縁部にもこのヨーク２１と同芯円上に略等間隔に配設する複数の位置決め孔２１ａが開設され、この位置決め孔２１ａは電気音響変換器を組立てる時の構成部品の位置決めに用いられる。
【００１４】
また前記フレーム２９はインサート成形加工により磁気回路２５のヨーク２１及び一対の接続端子２８と一体に成形されており、この接続端子２８は薄板金属を打抜き加工して形成したもので、この接続端子２８には一端に設ける横向きの基部２８ａと、この基部２８ａの一側端部から直角に延出する細長い可動接片２８ｂと、この可動接片２８ｂの先端部に設ける接点部２８ｃとが連続一体に連設形成されている。各接続端子２８は基部２８ａがフレーム２９の角張った端部側に左右対称に埋込み固定され、フレーム２９の角張った端部の左右側端部から各接続端子２８の可動接片２８ｂが突出されている。図２の実線に示した各接続端子２８の可動接片２８ｂはフレーム２９の成形後の半製品状態のもので、フレーム２９の角張った端部の左右側端部から真っ直ぐに延出されているが、この各接続端子２８の可動接片２８ｂは図２の仮想線に示すように電気音響変換器の組立て工程における例えば最終工程において曲げ加工されてフレーム２９の裏面側に折返され、電気音響変換器の裏面側の左右側部に先端部に機器側基板との接点部２８ｃを設けた片持ち梁状の可動接片２８ｂを設けるように構成している。
【００１５】
また前記フレーム２９の角張った端部表面の左右中央部にはその左右外側の側壁２９ａの端部より高さの低い隔壁２９ｃが設けられ、この隔壁２９ｃとその左右外側の側壁２９ａの端部との間のフレーム２９の表面（図４に斜線で示す部分）に接続端子２８の基部２８ａの一部を略面一に露出し、フレーム２９の角張った端部表面の左右側部にボイスコイル２７から引出した２本のリード線２７ａの端部を半田付けＳするための一対の半田付け部２９ｄを設けている。なお前記隔壁２９ｃは側壁２９ａの内壁段差面２９ａ'と略同じ高さに設けられ、この隔壁２９ｃの内側端部上面にて側壁２９ａの端部間（側壁２９ａが破られた部分）における前記振動板２６の周縁部を振動板リング２６ａを介して接着固定し、振動板２６を前記フレーム２９の表面よりやや持ち上げて固定している。
【００１６】
本実施の形態の電気音響変換器はこれを薄型化するために以下のような構成を採用している。
【００１７】
先ず図１に示すようにフレーム２９をヨーク２１の開口端より一段下げた位置から外側に固定している。つまり磁気回路２５の上部をフレーム２９から上方に突出し、磁気回路２５の電気音響変換器底面側への突出量を抑えるように構成している。
【００１８】
上記構成に伴いフレーム２９の固定端にはヨーク２１の開口端部外面に沿ってリブ２９ｅが立上げられている。このためヨーク２１の開口端部とその外側のフレーム２９のリブ２９ｂ、つまりヨーク２１とフレーム２９の結合部２０がフレーム２９の表面から一段突出し、この結合部２０と振動板２６との隙間３１が狭くなっている。つまりボイスコイル２７の直ぐ外側に前記結合部２０が土手のように突出し、振動板２６との隙間３１が狭くなっている。
【００１９】
また図１に示すように前記振動板２６を磁気回路２５側に向かって下方に膨らんだセンター逆ドーム部２６ａと、このセンター逆ドーム部２６ａの周縁に一体に設けた環状のエッジ部２６ｂとで構成し、前記振動板２６の中央部を凹形状に形成すると共に、この振動板２６の中央凹部であるセンター逆ドーム部２６ａと対向する磁気回路２５のポールピース２３の中央部表面に球面の一部でなる凹部２３ａを設け、振動板２６の中央凹部であるセンター逆ドーム部２６ａと対向する磁気回路２５のポールピース２３の中央部表面も凹形状に形成している。この構成により振動板２６の振幅を十分に確保しながら、振動板２６の高さを低く抑えることができるため、音響性能低下を招くことなく、さらなる電気音響変換器の薄型化が可能になっている。またこの方法では結合部２０と振動板２６との隙間３１の狭小化も伴わないため、ボイスコイル２７のリード線２７ａの断線防止を図りながら、さらなる電気音響変換器の薄型化が可能になっている。なおボイスコイル２７は前記振動板２６のセンター逆ドーム部２６ａとエッジ部２６ｂとの境目部分の裏面に上端が固定されている。ここで振動板２６のセンター逆ドーム部２６の表面又は裏面にセンター逆ドーム部２６と同じ形状のＰＥＴ（ポリエチレンテレフタレート）フィルムを重ね合わせ、センター逆ドーム部２６を二重構造に構成することにより、共振周波数を下げると共に、振動板２６の剛性を高め、耐入力低下を防止できるため、電気音響変換器の低音再生能力を高めることができる。
【００２０】
さらに図３に示すようにボイスコイル２７の直ぐ外側に土手のように存在するヨーク２１とフレーム２９の前記結合部３０に前記振動板２６（エッジ部２６ｂの内周縁部）との前記隙間３１を部分的に拡大するためこの結合部３０の左右２箇所に切欠き３０ａを設け、ボイスコイル２７の一方のリード線２７ａをボイスコイル本体からその直ぐ左側に設けた切欠き３０ａを通して前記結合部３０の外周側のフレーム２９の周縁部と振動板２６のエッジ部２６ｂとの広い隙間に引出した後、その広い隙間からさらに隔壁２９ｃとその左外側の側壁２９ａの一端部との間における前記振動板リング２６ａと前記フレーム２９との隙間を通して左側の前記半田付け部２９ｄまで引出し、一方のリード線２７ａの端部を左側の前記半田付け部２９ｄに半田付けＳすると共に、ボイスコイル２７の他方のリード線２７ａをボイスコイル本体からその直ぐ右側に設けた切欠き３０ａを通して前記結合部３０の外周側のフレーム２９の周縁部と振動板２６のエッジ部２６ｂとの広い隙間に引出した後、その広い隙間からさらに隔壁２９ｃとその右外側の側壁２９ａの他端部との間における前記振動板リング２６ａと前記フレーム２９との隙間を通して右側の前記半田付け部２９ｂまで引出し、他方のリード線２７ａの端部を右側の前記半田付け部２９ｄに半田付けＳするように構成している。この構成により前記結合部３０と前記振動板２６との隙間３１に少なくともボイスコイル２７のリード線２７ａが使用していた分の余裕ができるため、この隙間３１の狭小化を伴う上記した磁気回路２５の電気音響変換器底面側への突出量を抑える方法で、ボイスコイル２７のリード線２７ａの断線防止を図りながら、さらなる電気音響変換器の薄型化が可能になっている。ここでボイスコイル２７のリード線２７ａは図１に示すようにボイスコイル本体から半田付け部２９ｄまでを振動板２６の裏面に沿わせることが望ましい。この構成によりボイスコイル２７のリード線２７ａを上記切欠き３０ａを通過する引出し経路でボイスコイル本体から半田付け部２９ｄに引出すことができ、電気音響変換器の薄型化に伴うボイスコイル２７のリード線２７ａの断線をより確実に防止することができる。
【図面の簡単な説明】
【００２１】
【図１】本発明の実施の形態に係る電気音響変換器の断面図である。
【図２】同電気音響変換器の外観図である。
【図３】同電気音響変換器のバッフル及び振動板を除去した状態の外観図（ただし振動板リングは残す）である。
【図４】同電気音響変換器の接続端子基部の平面図である。
【図５】従来の電気音響変換器を示す断面図である。
【符号の説明】
【００２２】
２１  ヨーク
２２  マグネット
２３  ポールピース
２３ａ  凹部
２４  磁気ギャップ
２５  磁気回路
２６  振動板
２６ａ  センター逆ドーム部
２７  ボイスコイル
２９  フレーム
３０  結合部
３０ａ  切欠き
３１  隙間
【図１】
2007104541.tif 000003
【図２】
2007104541.tif 000004
【図３】
2007104541.tif 000005
【図４】
2007104541.tif 000006
【図５】
2007104541.tif 000007
【手続補正書】
【提出日】平成17年11月14日(2005.11.14)
【手続補正１】
【補正対象書類名】明細書
【補正対象項目名】全文
【補正方法】変更
【補正の内容】
【発明の詳細な説明】
【技術分野】
【０００１】
本発明は携帯電話機等に内蔵される小型のスピーカやレシーバ等電気音響変換器に関する。
【背景技術】
【０００２】
従来の電気音響変換器は図５に示すように磁性材料からなる有底筒状のヨーク１と、このヨーク１の内側底部に固定した柱状のマグネット２と、このマグネット２の上面に固定した磁性材料からなる板状のポールピース３とで、ポールピース３とヨーク１の周側壁端部との間に磁気ギャップ４を形成した磁気回路５を構成すると共に、上方に膨らんだセンタードーム部６ａの周縁に環状のエッジ部６ｂを一体に設けた樹脂や金属のフィルムからなる振動板６と、この振動板６のセンタードーム部６ａとエッジ部６ｂとの境目部分の裏面に上端を固定した筒状のボイスコイル７とで振動系を構成している。そして前記磁気回路５のヨーク１の外側には一対の接続端子８を固定した絶縁材料からなるフレーム９が固定され、このフレーム９の周縁部に前記振動板６の周縁部（エッジ部６ｂの外周縁部）を固定し、前記ボイスコイル７を前記磁気回路５の磁気ギャップ４内に上下動自在に挿嵌し、ボイスコイル７から引出した２本のリード線７ａを接続端子８に半田付けＳして構成していた。このように構成した電気音響変換器は外部回路から接続端子８を介してボイスコイル７に電気音響信号を入力することにより、磁気ギャップ４の磁界との電磁作用でボイスコイル７が上下に振動し、それに伴って振動板６が上下に振動して音を発生するものである。
【０００３】
この種電気音響変換器は全体の薄型化を図るべく、フレーム９をヨーク１の開口端より一段下げた位置から外側に固定している。つまり磁気回路５の上部をフレーム９から上方に突出し、磁気回路５の電気音響変換器底面側への突出量を抑えるようにしていた。これに伴いフレーム９の固定端にはヨーク１の開口端部外面に沿ってリブ９ａが立上げられている（例えば「特許文献１」「特許文献２」参照）。
【特許文献１】特開２００３−１５３３８２号公報
【特許文献２】特開２００４−３５６７１３号公報
【発明の開示】
【発明が解決しようとする課題】
【０００４】
上記のように従来の電気音響変換器は磁気回路５の電気音響変換器底面側への突出量を抑えることにより全体の薄型化を図ったが、この方法ではボイスコイル７の直ぐ外側のヨーク１とフレームとの結合部１０と振動板６（エッジ部６ｂの内周縁部）との隙間１１の狭小化を伴うため、さらなる電気音響変換器の薄型化は望めない。加えて前記隙間１１にはボイスコイル７のリード線７ａを通すため、狭小化に伴って前記結合部１０にリード線７ａが接触して断線し易くなることも、上記方法でのさらなる電気音響変換器の薄型化が望めない要因になっている。
【０００５】
本発明は上記の事情に鑑みさらなる薄型化を実現できる電気音響変換器を提供するものである。
【課題を解決するための手段】
【０００６】
本発明の請求項１に係る発明は磁気回路と、この磁気回路のヨークに固定されたフレームと、このフレームに固定された振動板と、この振動板に固定されて一部が前記磁気回路の磁気ギャップに配置されたボイスコイルとを備える電気音響変換器において、前記振動板の中央部を凹形状に形成すると共に、この振動板の中央凹部と対向する前記磁気回路のポールピースの表面も凹形状に形成したことを特徴とするものである。この構成により振動板の振幅を十分に確保しながら、振動板の高さを低く抑えることができるため、音響性能低下を招くことなく、さらなる電気音響変換器の薄型化を実現することができる。
【０００７】
本発明の請求項２に係る発明は磁気回路と、この磁気回路のヨークに固定されたフレームと、このフレームに固定された振動板と、この振動板に固定されて一部が前記磁気回路の磁気ギャップに配置されたボイスコイルとを備える電気音響変換器において、前記ヨークと前記フレームの結合部に前記振動板との隙間を部分的に拡大するための切欠きを設けたことを特徴とするものである。この構成によりボイスコイルのリード線を前記切欠きを通して半田付け部まで引出すことにより、前記結合部と前記振動板との隙間に少なくともボイスコイルのリード線が使用していた分の余裕ができるため、この隙間の狭小化を伴う従来の方法で、ボイスコイルのリード線の断線防止を図りながら、さらなる電気音響変換器の薄型化を実現することができる。
【０００８】
本発明の請求項３に係る発明は請求項１に記載の電気音響変換器と請求項２に記載の電気音響変換器とを組み合わせたことを特徴とするもので、請求項１に係る発明と請求項２に係る発明の両面から、音響性能低下を招くことなく、またボイスコイルのリード線の断線防止を図りながら、さらなる電気音響変換器の薄型化を実現することができる。
【発明の効果】
【０００９】
上記のように本発明は電気音響変換器のさらなる薄型化を実現することができると共に、それに伴う音響性能低下やボイスコイルのリード線の断線を防止することができる。
【発明を実施するための最良の形態】
【００１０】
以下本発明の実施の形態を図１〜図４を参照して説明する。図１は本発明の実施の形態に係る電気音響変換器の断面図、図２は同電気音響変換器の外観図、図３は同電気音響変換器のバッフル及び振動板を除去した状態の外観図（ただし振動板リングは残す）、図４は同電気音響変換器の接続端子基部の平面図である。
【００１１】
本実施の形態の電気音響変換器は磁性材料からなる有底円筒状のヨーク２１と、このヨーク２１の内側底部に固定した円柱状のマグネット２２と、このマグネット２２の上面に固定した磁性材料からなる円板状のポールピース２３とで、ポールピース２３とヨーク２１の周側壁端部との間に磁気ギャップ２４を形成した内磁型の磁気回路２５を構成すると共に、円形の振動板リング４０に周縁部を接着固定した樹脂や金属のフィルムからなる円形の振動板２６と、この振動板２６の裏面に上端を固定した円筒状のボイスコイル２７とで振動系を構成している。そして前記磁気回路２５のヨーク２１の外側には一対の接続端子２８を固定した絶縁材料からなるフレーム２９が固定され、このフレーム２９の周縁部に前記振動板２６の周縁部を振動板リング４０を介して接着固定し、前記ボイスコイル２７を前記磁気回路２５の磁気ギャップ２４内に上下動自在に挿嵌し、ボイスコイル２７から引出した２本のリード線２７ａを接続端子２８に半田付けＳ（スポット溶接でも可）して構成している。このように構成した電気音響変換器は外部回路から接続端子２８を介してボイスコイル２７に電気音響信号を入力することにより、磁気ギャップ２４の磁界との電磁作用でボイスコイル２７が上下に振動し、それに伴って振動板２６が上下に振動して音を発生するものである。
【００１２】
ここで前記フレーム２９は一端が磁気回路２５と同芯の半円形に丸められ、他端を角張らせた平面視略かまぼこ形の板状に形成されており、このフレーム２９の周縁部には外壁面がフレーム２９の外周縁に沿って立上り、かつ内壁面が振動板２６の外周縁に沿って立上がり、かつフレーム２９の角張った端部側の一部が破られた段付きの平面視略Ｃ形の側壁２９ａが立設されており、この側壁２９ａの内壁段差面２９ａ'に前記振動板２６の周縁部が振動板リング４０を介して接着固定されている。つまり振動板２６は前記フレーム２９の表面よりやや持ち上げられて固定されている。またフレーム２９の側壁２９ａの内側には振動板２６を保護するための金属製のバッフル３２が嵌着されており、このバッフル３２は縁部３２ａを有し、この縁部３２ａの端部を振動板２６の周縁部の表面に固定し、振動板２６の周縁部を振動板リング４０と共にフレーム２９の側壁２９ａの内壁段差面２９ａ'とバッフル３２の縁部３２ａの間に挟込んでいる。バッフル３２の天板部表面はフレーム２９の側壁２９ａの端面と略面一になっている。このバッフル３２の縁部３２ａもフレーム２９の側壁２９ａと同様にフレーム２９の角張った端部側の一部が破られている。この構成により本実施の形態の電気音響変換器はフレーム２９の角張った端部側面に放音孔３３が開設され、この放音孔３３から振動系の振動方向と直交する側方に向かって音を放射するように構成されている。放音孔３３は電気音響変換器の角角張った端部側の表面からその放音孔３３を開設した側面に貼付ける補償布（制動布）３４により塞がれている。なお天板部に小さい放音孔を多数開設した周知のバッフルを使用し、電気音響変換器の表面側から振動系の振動方向に沿って音を放射することもできる。
【００１３】
また前記フレーム２９の周縁部には磁気回路２５と同芯円上に略等間隔に配設する複数の位置決め孔２９ｂが開設され、この位置決め孔２９ｂは電気音響変換器を携帯電話機等の筺体に取付ける時の位置決めに用いられる。前記磁気回路２５のヨーク２１の底面周縁部にもこのヨーク２１と同芯円上に略等間隔に配設する複数の位置決め孔２１ａが開設され、この位置決め孔２１ａは電気音響変換器を組立てる時の構成部品の位置決めに用いられる。
【００１４】
また前記フレーム２９はインサート成形加工により磁気回路２５のヨーク２１及び一対の接続端子２８と一体に成形されており、この接続端子２８は薄板金属を打抜き加工して形成したもので、この接続端子２８には一端に設ける横向きの基部２８ａと、この基部２８ａの一側端部から直角に延出する細長い可動接片２８ｂと、この可動接片２８ｂの先端部に設ける接点部２８ｃとが連続一体に連設形成されている。各接続端子２８は基部２８ａがフレーム２９の角張った端部側に左右対称に埋込み固定され、フレーム２９の角張った端部の左右側端部から各接続端子２８の可動接片２８ｂが突出されている。図２の実線に示した各接続端子２８の可動接片２８ｂはフレーム２９の成形後の半製品状態のもので、フレーム２９の角張った端部の左右側端部から真っ直ぐに延出されているが、この各接続端子２８の可動接片２８ｂは図２の仮想線に示すように電気音響変換器の組立て工程における例えば最終工程において曲げ加工されてフレーム２９の裏面側に折返され、電気音響変換器の裏面側の左右側部に先端部に機器側基板との接点部２８ｃを設けた片持ち梁状の可動接片２８ｂを設けるように構成している。
【００１５】
また前記フレーム２９の角張った端部表面の左右中央部にはその左右外側の側壁２９ａの端部より高さの低い隔壁２９ｃが設けられ、この隔壁２９ｃとその左右外側の側壁２９ａの端部との間のフレーム２９の表面（図４に斜線で示す部分）に接続端子２８の基部２８ａの一部を略面一に露出し、フレーム２９の角張った端部表面の左右側部にボイスコイル２７から引出した２本のリード線２７ａの端部を半田付けＳするための一対の半田付け部２９ｄを設けている。なお前記隔壁２９ｃは側壁２９ａの内壁段差面２９ａ'と略同じ高さに設けられ、この隔壁２９ｃの内側端部上面にて側壁２９ａの端部間（側壁２９ａが破られた部分）における前記振動板２６の周縁部を振動板リング４０を介して接着固定し、振動板２６を前記フレーム２９の表面よりやや持ち上げて固定している。
【００１６】
本実施の形態の電気音響変換器はこれを薄型化するために以下のような構成を採用している。
【００１７】
先ず図１に示すようにフレーム２９をヨーク２１の開口端より一段下げた位置から外側に固定している。つまり磁気回路２５の上部をフレーム２９から上方に突出し、磁気回路２５の電気音響変換器底面側への突出量を抑えるように構成している。
【００１８】
上記構成に伴いフレーム２９の固定端にはヨーク２１の開口端部外面に沿ってリブ２９ｅが立上げられている。このためヨーク２１の開口端部とその外側のフレーム２９のリブ２９ｂ、つまりヨーク２１とフレーム２９の結合部３０がフレーム２９の表面から一段突出し、この結合部３０と振動板２６との隙間３１が狭くなっている。つまりボイスコイル２７の直ぐ外側に前記結合部３０が土手のように突出し、振動板２６との隙間３１が狭くなっている。
【００１９】
また図１に示すように前記振動板２６を磁気回路２５側に向かって下方に膨らんだセンター逆ドーム部２６ａと、このセンター逆ドーム部２６ａの周縁に一体に設けた環状のエッジ部２６ｂとで構成し、前記振動板２６の中央部を凹形状に形成すると共に、この振動板２６の中央凹部であるセンター逆ドーム部２６ａと対向する磁気回路２５のポールピース２３の中央部表面に球面の一部でなる凹部２３ａを設け、振動板２６の中央凹部であるセンター逆ドーム部２６ａと対向する磁気回路２５のポールピース２３の中央部表面も凹形状に形成している。この構成により振動板２６の振幅を十分に確保しながら、振動板２６の高さを低く抑えることができるため、音響性能低下を招くことなく、さらなる電気音響変換器の薄型化が可能になっている。またこの方法では結合部３０と振動板２６との隙間３１の狭小化も伴わないため、ボイスコイル２７のリード線２７ａの断線防止を図りながら、さらなる電気音響変換器の薄型化が可能になっている。なおボイスコイル２７は前記振動板２６のセンター逆ドーム部２６ａとエッジ部２６ｂとの境目部分の裏面に上端が固定されている。ここで振動板２６のセンター逆ドーム部２６ａの表面又は裏面にセンター逆ドーム部２６ａと同じ形状のＰＥＴ（ポリエチレンテレフタレート）フィルムを重ね合わせ、センター逆ドーム部２６ａを二重構造に構成することにより、共振周波数を下げると共に、振動板２６の剛性を高め、耐入力低下を防止できるため、電気音響変換器の低音再生能力を高めることができる。
【００２０】
さらに図３に示すようにボイスコイル２７の直ぐ外側に土手のように存在するヨーク２１とフレーム２９の前記結合部３０に前記振動板２６（エッジ部２６ｂの内周縁部）との前記隙間３１を部分的に拡大するためこの結合部３０の左右２箇所に切欠き３０ａを設け、ボイスコイル２７の一方のリード線２７ａをボイスコイル本体からその直ぐ左側に設けた切欠き３０ａを通して前記結合部３０の外周側のフレーム２９の周縁部と振動板２６のエッジ部２６ｂとの広い隙間に引出した後、その広い隙間からさらに隔壁２９ｃとその左外側の側壁２９ａの一端部との間における前記振動板リング４０と前記フレーム２９との隙間を通して左側の前記半田付け部２９ｄまで引出し、一方のリード線２７ａの端部を左側の前記半田付け部２９ｄに半田付けＳすると共に、ボイスコイル２７の他方のリード線２７ａをボイスコイル本体からその直ぐ右側に設けた切欠き３０ａを通して前記結合部３０の外周側のフレーム２９の周縁部と振動板２６のエッジ部２６ｂとの広い隙間に引出した後、その広い隙間からさらに隔壁２９ｃとその右外側の側壁２９ａの他端部との間における前記振動板リング４０と前記フレーム２９との隙間を通して右側の前記半田付け部２９ｄまで引出し、他方のリード線２７ａの端部を右側の前記半田付け部２９ｄに半田付けＳするように構成している。この構成により前記結合部３０と前記振動板２６との隙間３１に少なくともボイスコイル２７のリード線２７ａが使用していた分の余裕ができるため、この隙間３１の狭小化を伴う上記した磁気回路２５の電気音響変換器底面側への突出量を抑える方法で、ボイスコイル２７のリード線２７ａの断線防止を図りながら、さらなる電気音響変換器の薄型化が可能になっている。ここでボイスコイル２７のリード線２７ａは図１に示すようにボイスコイル本体から半田付け部２９ｄまでを振動板２６の裏面に沿わせることが望ましい。この構成によりボイスコイル２７のリード線２７ａを上記切欠き３０ａを通過する引出し経路でボイスコイル本体から半田付け部２９ｄに引出すことができ、電気音響変換器の薄型化に伴うボイスコイル２７のリード線２７ａの断線をより確実に防止することができる。
【図面の簡単な説明】
【００２１】
【図１】本発明の実施の形態に係る電気音響変換器の断面図である。
【図２】同電気音響変換器の外観図である。
【図３】同電気音響変換器のバッフル及び振動板を除去した状態の外観図（ただし振動板リングは残す）である。
【図４】同電気音響変換器の接続端子基部の平面図である。
【図５】従来の電気音響変換器を示す断面図である。
【符号の説明】
【００２２】
２１  ヨーク
２２  マグネット
２３  ポールピース
２３ａ  凹部
２４  磁気ギャップ
２５  磁気回路
２６  振動板
２６ａ  センター逆ドーム部
２７  ボイスコイル
２９  フレーム
３０  結合部
３０ａ  切欠き
３１  隙間
【手続補正２】
【補正対象書類名】図面
【補正対象項目名】全図
【補正方法】変更
【補正の内容】
【図１】
2007104541.tif 000008
【図２】
2007104541.tif 000009
【図３】
2007104541.tif 000010
【図４】
2007104541.tif 000011
【図５】
2007104541.tif 000012